(57)【特許請求の範囲】
【請求項１】
チューブ状で弾性変形可能な抑制要素（１４）が内設されている抑制器ハウジング（１３）を備え、前記抑制要素（１４）が内面および／または外面において流体の作用を受け、該流体に圧力変化が生じた場合に該圧力変化を抑制し、且つ前記抑制要素（１４）が外面に波形部（１６）を、内面に同様に波形部（１７）を有し、該内面の波形部は外面に前記波形部（１６）が設けられていることにより前記抑制要素（１４）の壁厚変化を小さくさせ、
前記抑制要素（１４）が変化する壁厚を有している、スリップコントロール型液圧式車両ブレーキ装置（１）用圧力変化抑制器。
【請求項２】
前記抑制要素（１４）が開口端と閉鎖端とを有していることを特徴とする、請求項１に記載の圧力変化抑制器。
【請求項３】
前記抑制要素（１４）が厚壁であることを特徴とする、請求項１に記載の圧力変化抑制器。
【請求項４】
前記抑制要素（１４）の壁厚は、外面にある波谷部の領域よりも、外面にある波山部の領域のほうが大きいことを特徴とする、請求項１に記載の圧力変化抑制器。
【請求項５】
前記抑制要素（１４）が弾性変化可能な壁厚を有していることを特徴とする、請求項１に記載の圧力変化抑制器。
【請求項６】
前記抑制要素（１４）が変形抑制作用を有することを特徴とする、請求項１に記載の圧力変化抑制器。
【請求項７】
前記抑制要素（１４）がエラストマーを有していることを特徴とする、請求項１に記載の圧力変化抑制器。
【請求項８】
請求項１に記載の圧力変化抑制器（１４）を備えた液圧式車両ブレーキ装置。
【請求項９】
前記車両ブレーキ装置（１）が液圧ポンプ（８）を有していることを特徴とする、請求項８に記載の液圧式車両ブレーキ装置。
【発明の詳細な説明】
【技術分野】
【０００１】
本発明は、スリップコントロール型液圧式車両ブレーキ装置用圧力変化抑制器およびこのような圧力変化抑制器を備えた液圧式車両ブレーキ装置に関するものである。
【背景技術】
【０００２】
スリップコントロール型車両ブレーキ装置は、通常液圧ポンプとしてピストンポンプを有し、ピストンポンプは、その搬送態様が脈動式であるために、搬送されるブレーキ液に圧力変動を生じさせる。圧力変動を抑制するために、ピストンポンプの吐出し側に圧力変化抑制器を接続させることが知られている。圧力変化抑制器は、ピストンポンプによるブレーキ液の搬送の際に圧力変化を抑制し、これによって騒音発生を少なくさせるとともに、ブレーキマスターシリンダへの反作用、よってフットブレーキペダルまたはハンドブレーキレバーへの反作用を少なくさせる。さらに、ブレーキ液の圧力変動の抑制はスリップコントロールのコントロールクオリティを改善させる。
【発明の概要】
【０００３】
請求項１の構成要件を備えた本発明による圧力変化抑制器は、チューブ状で弾性変形可能な抑制要素を内設したたとえば管状またはドーム状の抑制器ハウジングを有している。好ましくは、抑制要素は開口端と閉鎖端とを有している。抑制要素は内面および／または外面において流体の作用を受け、流体に圧力変化が生じた場合に該圧力変化を抑制する。このような圧力変化は圧力変動、圧力脈動、段階的または衝撃的な圧力変化であるが、これら列挙したものは例であり、決定的なものではない。本発明によれば、抑制要素は内面と外面に波形部を有し、これらの波形部はたとえば周回するように延在し、またはねじ線状であってよい。好ましくは、波形部は丸い波形横断面を有しているが、たとえば角のある波形横断面も可能である。波谷部は、内面において、外面にある波山部と同じ高さに配置され、およびその逆でもあり、或いは、いずれにしろ波長の半分以下でずらして配置されており、その結果外側のみ波形部を有していて内側には波形部を有していない抑制要素に比べて、抑制要素の長手方向において壁厚変化が小さくなっている。
【０００４】
本発明による圧力変化抑制器の抑制要素は、壁厚が均一であるために均一な弾性を有し、抑制要素の外面に設けた波形部のより大きな波高を可能にするとともに、この外面に設けた波形部の波谷部におけるより高い剛性および／または波山部でのより高い弾性を可能にする。このようにして本発明は抑制挙動の改善を可能にしている。
【０００５】
従属請求項は、請求項１に記載した発明の好適な構成および更なる構成の対象である。本発明の好適な構成では、抑制要素は弾性変化する壁厚を有し（請求項５）、変形抑制作用を有し、これは、抑制要素の弾性変形がエネルギーを消費し、これによって変形を抑制する（請求項６）ことを意味し、好ましくは前記２つの特性を持つエラストマーから成っている（請求項７）。
【０００６】
本発明の更なる対象は、前述の種類の圧力変化抑制器を備えた、好ましくはスリップコントロールされている液圧式車両ブレーキ装置であり（請求項９）、液圧ポンプ（請求項１０）を有し、たとえばピストンポンプを有し、その吐出し側に圧力変化抑制器が連通し、搬送されるブレーキ液の圧力変動を抑制する。
【図面の簡単な説明】
【０００７】
次に、本発明を、図面に図示した実施形態を用いて詳細に説明する。
【図１】図２の圧力変化抑制器を備えた本発明による車両ブレーキ装置の液圧回路図である。
【図２】本発明による圧力変化抑制器の軸断面図である。
【発明を実施するための形態】
【０００８】
図１に図示した本発明による液圧式車両ブレーキ装置１は２回路型ブレーキマスターシリンダ２を有し、該２回路型ブレーキマスターシリンダにはそれぞれ１つの隔離弁３を介して２つのブレーキ回路Ｉ，ＩＩが接続されている。車輪ブレーキ４は、吸込み弁５を介して隔離弁３に液圧的に並列に接続され、且つ排出弁６を介して蓄圧器７と液圧ポンプ８の吸込み側とに接続されている。それぞれの車輪ブレーキ４には１つの吸込み弁５と１つの排出弁６とが付設されている。それぞれのブレーキ回路Ｉ，ＩＩは１つの蓄圧器７と１つの液圧ポンプ８とを有し、蓄圧器と液圧ポンプとには共にそれぞれのブレーキ回路Ｉ，ＩＩの車輪ブレーキ４が排出弁６を介して接続されている。図示した、説明している実施形態では、それぞれのブレーキ回路Ｉ，ＩＩは２つの車輪ブレーキ４を有しているが、しかしこれは本発明にとって強制的なものではない。複数の液圧ポンプ８はともに１つの電動機により駆動される。液圧ポンプ８の吸込み側は、吸込み弁１０によってブレーキマスターシリンダ２と結合可能である。液圧ポンプ８の吐出し側には、圧力変化抑制器１１と、これに接続して絞り１２とが接続され、圧力変化抑制器と絞りとによって、液圧ポンプ８の吐出し側は隔離弁３と吸込み弁５との間に位置するようにブレーキ回路Ｉ，ＩＩに接続されている。上記の弁３，５，６，１０は２ポート２位置ソレノイド弁であり、液圧ポンプ８および蓄圧器７とともに車両ブレーキ装置１のスリップコントロール部２０を形成している。圧力変化抑制器１１と絞り１２とは同様にスリップコントロール部２０の構成部材である。液圧式車両ブレーキ装置のこのようなスリップコントロール部２０とその機能とは当業者に周知であり、ここではこれ以上説明しない。
【０００９】
図２は、本発明による圧力変化抑制器１１を示している。圧力変化抑制器１１は、開口端と閉鎖端とを備えた管状の抑制器ハウジング１３を有し、このことはドーム状と理解することもできる。抑制器ハウジング１３内にはチューブ状の抑制要素１４が配置され、抑制要素も同様に開口端と閉鎖端とを有し、その閉鎖端の方向にいくぶん先細りになっており、その閉鎖端は抑制器ハウジング１３の閉鎖端内に配置され、その開口端はリング状のマウント１５を用いて抑制器ハウジング１３の開口端内に固定されている。
【００１０】
抑制要素１４はエラストマーから成り、エラストマーは発泡されていてよい。抑制要素１４は弾性変形可能であり、その際その壁厚も弾性で変化することができる。抑制要素１４は、その材料であるエラストマーの材料特性に基づいて変形抑制作用を及ぼし、すなわち弾性変形の際にエネルギーを消費し、これによって流体（本実施形態ではブレーキ液）の圧力変化を抑制する。
【００１１】
抑制要素１４は、その外面においてガス（たとえば空気）を自らと抑制器ハウジング１３との間に封じ込め、内面は液圧ポンプ８の吐出し側と連通している。
【００１２】
抑制要素１４は厚壁であり、壁厚は抑制要素１４の内径に対して少なくとも０．５の比率であり、または、抑制要素１４の外径に対して少なくとも０．２５の比率であり、または、抑制要素の長さに対し少なくとも０．０５の比率である。
【００１３】
抑制要素１４は、外側にも内側にも、周回するように延在している波形部１６，１７を有し、抑制要素１４の外面の波形部１６は正弦状の横断面を有している。抑制要素１４は内面に波山部１８と波谷部１９とを有している。波山部１８は、抑制要素１４の内部でたとえば円弧状の横断面を持って周回するように延在している隆起部であり、波谷部１９は、抑制要素１４の内部でたとえば同様に円弧状の横断面を持って周回するように延在している溝である。抑制要素１４の内面にある波山部１８は、抑制要素１４の外面にある波形部１６の波谷部と同じ高さにあり、内面にある波谷部１９は、抑制要素１４の外面にある波形部１６の波山部と同じ高さにある。同じ高さとは、抑制要素１４のラジアル面ということである。内面にある波山部１８および波谷部１９の高さまたは深さはより小さく、すなわち抑制要素１４の内面にある波形部１７は外面にある波形部１６よりも小さい。したがって、抑制要素１４の外面および内面にある波形部１６，１７の領域では、抑制要素１４の壁厚はその長手方向において変化しているが、抑制要素１４の外面にある波形部１６に加えて内面に波形部１７があることにより、抑制要素１４の長手方向における壁厚変化は、内面に波形部１７がない場合に比べて小さい。内面にある波形部１７として、波山部１８のみ、或いは、波谷部１９のみだけを設けることも可能である（図示せず）。
【符号の説明】
【００１４】
１  車両ブレーキ装置
８  液圧ポンプ
１３  抑制器ハウジング
１４  抑制要素
１６，１７  波形部
【図１】
0006491336.tif 000002
【図２】
0006491336.tif 000003